(57)【要約】      （修正有）【課題】商品収納数の低下を招来せずに、冷却効率の向上を図ったショーケースを提供する。【解決手段】前面開口１０ａを有し、前面開口１０ａを臨む態様で画成された収納室１１を有するケース本体と、収納室１１に設けられ、商品を載置する商品載置棚１２と、吸込口１６を通じて空気を吸い込んで収納室１１の内部と外部との間で空気を循環させる空気循環手段と、空気循環手段により循環させられる空気を所定の温度に調整する蒸発器５１とを備えたショーケースにおいて、空気循環手段は、蒸発器５１により冷却された空気を収納室１１よりも上方側にて２つに分岐させて、吹出口１７から一方の空気を吹き出させ、背面パネルに形成された複数の孔部１５から他方の空気を吹き出させる。【選択図】図７
2016026526.tif 000002
【特許請求の範囲】
【請求項１】
前面に開口が形成され、かつ該開口を臨む態様で画成された収納室を有するケース本体と、
前記収納室に上下方向に沿って複数段設けられ、かつ収納対象となる商品を載置する商品載置棚と、
前記収納室の前方下部に設けられた吸込口を通じて空気を吸い込むことにより、該ケース本体における前記収納室の内部と外部との間で空気を循環させる空気循環手段と、
前記空気循環手段により循環させられる空気を所定の温度に調整する温度調整手段と
を備え、前記商品載置棚に載置された商品を所望の温度状態に保持するショーケースにおいて、
前記空気循環手段は、前記温度調整手段により所定温度に調整された空気を前記収納室よりも上方側にて２つに分岐させて、前記収納室の前方上部に設けられた吹出口から分岐させた一方の空気を吹き出させる一方、前記収納室を画成する背面パネルに形成された複数の孔部から分岐させた他方の空気を吹き出させることを特徴とするショーケース。
【請求項２】
前記空気循環手段は、前記吸込口若しくは該吸込口とは別の他の吸込口を通じて吸い込んだ空気を、その温度状態を略維持させたまま前記吹出口若しくは該吹出口とは別の他の吹出口より吹き出させるための補助風路を備えたことを特徴とする請求項１に記載のショーケース。
【請求項３】
前記温度調整手段により所定温度に調整された空気が前記吹出口に向けて流れる風路に開閉自在に配設され、かつ該風路を通じて前記吹出口に向けて流れる空気量を調整する第１吹出量調整機構と、
前記孔部のそれぞれに開閉自在に配設され、かつ該孔部を通じて吹き出される空気量を調整する第２吹出量調整機構と
を備えたことを特徴とする請求項１又は請求項２に記載のショーケース。
【請求項４】
前記温度調整手段は、前記ケース本体において前記収納室よりも上方域に配設されることを特徴とする請求項１〜３のいずれか１つに記載のショーケース。
【請求項５】
前記空気循環手段は、
前記孔部に連通する態様で前記背面パネルの後方側に形成された背面側空気風路と、
前記背面側空気風路を閉塞する態様で配設され、かつ自身に形成された通過孔を通じて空気が通過することを許容する抵抗部材と
を備えたことを特徴とする請求項１〜４のいずれか１つに記載のショーケース。
【発明の詳細な説明】
【技術分野】
【０００１】
本発明は、ショーケースに関し、より詳細には、収納対象となる商品を所望の温度状態に保持するようにしたショーケースに関するものである。
【背景技術】
【０００２】
従来、収納対象となる商品を所望の温度状態に保持するショーケースが特許文献１に提案されている。この特許文献１に提案されているショーケースでは、前面に開口が形成されたケース本体の収納室に、複数の商品載置棚が上下方向に沿って複数段設けられており、それぞれの商品載置棚に商品が載置されている。また、ケース本体内であって収納室外となる個所には、収納室の前方下部に設けられた吸込口を通じて吸い込んだ収納室内の空気の通路が形成されており、上記収納室の背面側における空気の通路には蒸発器が配設されている。このような空気の通路を通過する空気は、蒸発器で冷却され、その後に収納室の前方上部に設けられた吹出口より吹き出される。吹出口から吹き出された空気が吸込口に吸い込まれて空気の通路を循環することにより、収納室の内部空気が冷却されて商品載置棚に載置された商品が所望の温度に調整されて保持される。
【先行技術文献】
【特許文献】
【０００３】
【特許文献１】特開２０００−１０２４５８号公報
【発明の概要】
【発明が解決しようとする課題】
【０００４】
ところで、上述した特許文献１に提案されているショーケースでは、吸込口を通じて収納室の内部空気を吸い込んで空気通路を通過させ、空気通路を通過中に蒸発器で冷却して冷気とし、吹出口を通じて収納室に空気（冷気）を吹き出させることで商品載置棚に載置されている商品を冷却しているので、商品の冷却は吹出口から吹き出されて吸込口に吸い込まれる空気により行われる。そのため、商品載置棚の前方側の商品は比較的早くに冷却されることになるが、商品載置棚の後方側の商品は収納室全体の内部空気が十分に冷却されないとなかなか冷却されず、結果的に冷却効率に優れたものとはいえなかった。
【０００５】
本発明は、上記実情に鑑みて、冷却効率の向上を図ることができるショーケースを提供することを目的とする。
【課題を解決するための手段】
【０００６】
上記目的を達成するために、本発明に係るショーケースは、前面に開口が形成され、かつ該開口を臨む態様で画成された収納室を有するケース本体と、前記収納室に上下方向に沿って複数段設けられ、かつ収納対象となる商品を載置する商品載置棚と、前記収納室の前方下部に設けられた吸込口を通じて空気を吸い込むことにより、該ケース本体における前記収納室の内部と外部との間で空気を循環させる空気循環手段と、前記空気循環手段により循環させられる空気を所定の温度に調整する温度調整手段とを備え、前記商品載置棚に載置された商品を所望の温度状態に保持するショーケースにおいて、前記空気循環手段は、前記温度調整手段により所定温度に調整された空気を前記収納室よりも上方側にて２つに分岐させて、前記収納室の前方上部に設けられた吹出口から分岐させた一方の空気を吹き出させる一方、前記収納室を画成する背面パネルに形成された複数の孔部から分岐させた他方の空気を吹き出させることを特徴とする。
【０００７】
また本発明は、上記ショーケースにおいて、前記空気循環手段は、前記吸込口若しくは該吸込口とは別の他の吸込口を通じて吸い込んだ空気を、その温度状態を略維持させたまま前記吹出口若しくは該吹出口とは別の他の吹出口より吹き出させるための補助風路を備えたことを特徴とする。
【０００８】
また本発明は、上記ショーケースにおいて、前記温度調整手段により所定温度に調整された空気が前記吹出口に向けて流れる風路に開閉自在に配設され、かつ該風路を通じて前記吹出口に向けて流れる空気量を調整する第１吹出量調整機構と、前記孔部のそれぞれに開閉自在に配設され、かつ該孔部を通じて吹き出される空気量を調整する第２吹出量調整機構とを備えたことを特徴とする。
【０００９】
また本発明は、上記ショーケースにおいて、前記温度調整手段は、前記ケース本体において前記収納室よりも上方域に配設されることを特徴とする。
【００１０】
また本発明は、上記ショーケースにおいて、前記空気循環手段は、前記孔部に連通する態様で前記背面パネルの後方側に形成された背面側空気風路と、前記背面側空気風路を閉塞する態様で配設され、かつ自身に形成された通過孔を通じて空気が通過することを許容する抵抗部材とを備えたことを特徴とする。
【発明の効果】
【００１１】
本発明によれば、空気循環手段が温度調整手段により所定温度に調整された空気を収納室よりも上方側にて２つに分岐させて吹出口から分岐させた一方の空気を吹き出させる一方、複数の孔部から分岐させた他方の空気を吹き出させるので、商品載置棚の前方側の商品を吹出口から吹き出される空気で所望の温度に調整することができるとともに、商品載置棚の後方側の商品を孔部から吹き出される空気で所望の温度に調整することができ、これにより、冷却効率の向上を図ることができるという効果を奏する。
【図面の簡単な説明】
【００１２】
【図１】図１は、本発明の実施の形態であるショーケースの内部構造を模式的に示す断面側面図である。
【図２】図２は、図１に示したショーケースの要部の横断面図である。
【図３】図３は、図１に示したショーケースの空気の循環を説明するための断面側面図である。
【図４】図４は、図１に示したショーケースの空気の循環を説明するための断面側面図である。
【図５】図５は、本発明の実施の形態であるショーケースの変形例の内部構造を模式的に示す断面側面図である。
【図６】図６は、図５に示したショーケースの要部の横断面図である。
【図７】図７は、本発明の実施の形態であるショーケースの他の変形例の内部構造を模式的に示す断面側面図である。
【図８】図８は、本発明の実施の形態であるショーケースの他の変形例の内部構造を模式的に示す断面側面図である。
【図９】図９は、本発明の実施の形態であるショーケースの他の変形例の内部構造を模式的に示す断面側面図である。
【図１０】図１０は、図９に示した抵抗板の平面図である。
【発明を実施するための形態】
【００１３】
以下に添付図面を参照して、本発明に係るショーケースの好適な実施の形態について詳細に説明する。
【００１４】
図１は、本発明の実施の形態であるショーケースの内部構造を模式的に示す断面側面図である。ここで例示するショーケースは、ケース本体１０を備えている。
【００１５】
ケース本体１０は、前面に開口（以下、前面開口ともいう）１０ａが形成された断熱筐体である。このケース本体１０は、その内部に収納室１１が画成されているとともに、空気循環手段２０、第１吹出量調整機構３０及び第２吹出量調整機構４０が設けられている。
【００１６】
収納室１１は、上記前面開口１０ａを臨む態様で画成された室であり、複数（図示の例では５つ）の商品載置棚１２が上下方向に沿って並べて配設されている。商品載置棚１２は、それぞれ商品を載置するためのものである。かかる収納室１１の底部にはデッキパン１３が配設されている。このデッキパン１３は、上記商品載置棚１２と同様に商品を載置するためのものである。
【００１７】
また収納室１１を画成する背面パネル１４には、複数の孔部１５が形成されている。これら孔部１５は、複数の高さレベルにおいて左右方向に沿って所定間隔毎に形成された貫通孔である。より詳細に説明すると、孔部１５は、各商品載置棚１２の下部において、左右方向に沿って所定間隔毎に形成されている。
【００１８】
更に収納室１１の前方下部には吸込口１６が形成されているとともに、収納室１１の前方上部には吹出口１７が形成されている。
【００１９】
吸込口１６は、収納室１１の内部の空気を吸い込むための開口であり、収納室１１の左右方向に沿って延設されている。吹出口１７は、前側吹出口１７ａ及び後側吹出口１７ｂを有しており、それぞれ収納室１１の内部に空気を吹き出すための開口である。これら吹出口１７は、それぞれが収納室１１の左右方向に延設されている。これら吹出口１７には、例えばハニカム構造の整流部材が取り付けられている。
【００２０】
空気循環手段２０は、空気風路２０ａと循環ファンＦとを備えて構成されている。空気風路２０ａは、吸込口１６から吹出口１７及び各孔部１５に至る空気の風路である。
【００２１】
このような空気風路２０ａは、収納室１１外であってその下方にある下方側空気風路２１と、収納室１１外であってその背面側にある第１背面側空気風路２２と、収納室１１外であってその上方にある上方側空気風路２３とを互いに連通した態様で構成されている。
【００２２】
また空気風路２０ａは、上方側空気風路２３が２つに分かれており、上方側となる外方風路（補助風路）２３ａが前側吹出口１７ａに通じている。また、下方側となる内方風路２３ｂは、途中の分岐点Ｐで２つに分岐しており、一方が後側吹出口１７ｂに通じており、他方が第２背面側空気風路２４に通じている。
【００２３】
第２背面側空気風路２４は、図２にも示すように、収納室１１の背面側において上下方向に沿って延在している。この第２背面側空気風路２４は、第１背面側空気風路２２の前方側で延設されていて、該第１背面側空気風路２２と区画されている。かかる第２背面側空気風路２４は、背面パネル１４に配設された各孔部１５に連通しており、空気風路２０ａを構成するものである。
【００２４】
循環ファンＦは、図示せぬ制御手段から与えられる指令により駆動して空気を循環させるものであり、下方側空気風路２１の所定部位に配設されている。本実施の形態においては、循環ファンＦは下方側空気風路２１の所定部位に配設されているが、本発明では、循環ファンＦの配設位置は特に限定されるものではなく、後述する循環ファンＦの機能を発揮することができる個所であればどこに配設しても構わない。
【００２５】
このような空気循環手段２０においては、循環ファンＦが駆動することにより吸込口１６を通じて収納室１１の内部にある空気（内部空気）を吸い込み、吸い込んだ空気が空気風路２０ａを通過する態様で各吹出口１７及び各孔部１５まで送出し、各吹出口１７及び各孔部１５を通じて送出した空気を収納室１１の内部に吹き出すことにより、収納室１１の内部と外部との間で空気を循環させるものである。
【００２６】
上記空気風路２０ａの内方風路２３ｂには、蒸発器（温度調整手段）５１が設けられている。すなわち、蒸発器５１は、ケース本体１０において収納室１１よりも上方域に配設されている。蒸発器５１は、圧縮機５２、凝縮器５３及び膨張機構５４とともに冷媒を循環させる冷媒循環手段を構成する。ここに圧縮機５２は、制御手段から与えられる指令により駆動するもので、冷媒を圧縮するものである。凝縮器５３は、圧縮機５２で圧縮された冷媒を凝縮させるものである。膨張機構５４は、凝縮器５３で凝縮された冷媒を断熱膨張させて低温低圧の状態にさせるものである。
【００２７】
蒸発器５１は、循環ファンＦが駆動することにより内方風路２３ｂを後方から前方に向けて通過する空気と、膨張機構５４で断熱膨張させた冷媒とを熱交換させるもの、より詳細には、冷媒を蒸発させることにより内方風路２３ｂを通過する空気を冷却するものである。この蒸発器５１で蒸発した冷媒は、再び圧縮機５２に戻り圧縮されることになる。
【００２８】
第１吹出量調整機構３０は、内方風路２３ｂにおいて上記分岐点Ｐより後側吹出口１７ｂに至る風路に設けられている。この第１吹出量調整機構３０は、例えばダンパにより構成されており、制御手段から与えられる指令により自身の通過口の開放割合を調整することにより、該風路を通じて後側吹出口１７ｂに向けて流れる空気量を調整するものである。つまり、第１吹出量調整機構３０は、後側吹出口１７ｂから吹き出される空気量を調整するものである。
【００２９】
第２吹出量調整機構４０は、複数設けられており、それぞれ上記孔部１５の各高さレベル毎に設けられている。第２吹出量調整機構４０は、例えばダンパにより構成されており、制御手段から与えられる指令により自身の通過口の開放割合を調整することにより、対応する高さレベルの各孔部１５から吹き出される空気量を調整するものである。
【００３０】
以上のような構成によるショーケースにおいては、制御手段から与えられる指令により、第１吹出量調整機構３０及び第２吹出量調整機構４０の各通過口を開放させた状態で循環ファンＦ及び圧縮機５２を駆動させると、商品載置棚１２に載置された商品は次のようにして冷却される。
【００３１】
図３に示すように、収納室１１の内部の空気は、吸込口１６を通じて吸い込まれ、下方側空気風路２１及び第１背面側空気風路２２を通過し、上方側空気風路２３において外方風路２３ａ及び内方風路２３ｂのいずれかに進入する。
【００３２】
外方風路２３ａに進入した空気は、前側吹出口１７ａに至り、該前側吹出口１７ａから吹き出される。一方、内方風路２３ｂに進入した空気は、蒸発器５１を通過して冷却される。この蒸発器５１にて冷却された空気は、分岐点Ｐにて２つに分岐され、一方の空気は、後側吹出口１７ｂに至り、該後側吹出口１７ｂより吹き出される。また、分岐点Ｐで分岐された他方の空気は、第２背面側空気風路２４に至り、それぞれの高さレベルの各孔部１５から吹き出される。
【００３３】
吹出口１７（前側吹出口１７ａ及び後側吹出口１７ｂ）から吹き出された空気は、その大部分が吸込口１６に向けて流れることでエアカーテンを形成する。このようにエアカーテンを形成することにより、外部からの熱の侵入を抑制しつつ、収納室１１の内部空気を冷却する。
【００３４】
また、各孔部１５から吹き出された空気は、商品載置棚１２及びデッキパン１３の上方域を後方から前方に向けて流れ、その後にエアカーテンに合流する。このように商品載置棚１２及びデッキパン１３の上方域を後方から前方に向けて流れることで収納室１１の後方側の内部空気を冷却する。
【００３５】
このようにして収納室１１の内部空気を冷却することで、結果的に各商品載置棚１２に載置された商品を冷却することができる。
【００３６】
また、上記ショーケースにおいては、次のようにして商品載置棚１２に載置された商品を冷却することもできる。
【００３７】
制御手段から与えられる指令により第１吹出量調整機構３０の通過口を閉塞させて分岐点Ｐから後側吹出口１７ｂに至る風路を閉成する。また、制御手段から与えられる指令により、下から２段目の商品載置棚１２よりも下方側にある第２吹出量調整機構４０の通過口を開放させ、該商品載置棚１２よりも上方側にある第２吹出量調整機構４０の通過口を閉塞させる。つまり、下から２段目の商品載置棚１２よりも下方側にある孔部１５のみが開成されている。
【００３８】
そうすると、図４に示すように、収納室１１の内部の空気は、吸込口１６を通じて吸い込まれ、下方側空気風路２１及び第１背面側空気風路２２を通過し、上方側空気風路２３において外方風路２３ａ及び内方風路２３ｂのいずれかに進入する。
【００３９】
外方風路２３ａに進入した空気は、前側吹出口１７ａに至り、該前側吹出口１７ａから吹き出される。一方、内方風路２３ｂに進入した空気は、蒸発器５１を通過して冷却される。この蒸発器５１にて冷却された空気は、第２背面側空気風路２４に至り、下から２段目の商品載置棚１２よりも下方の各孔部１５から吹き出される。
【００４０】
吹出口１７（前側吹出口１７ａ）から吹き出された空気は、その大部分が吸込口１６に向けて流れることでエアカーテンを形成する。このようにエアカーテンを形成することにより、外部からの熱の侵入を抑制しつつ、該空気で収納室１１の内部空気を僅かに冷却する。
【００４１】
また、開成する孔部１５から吹き出された空気は、最下位の商品載置棚１２及びデッキパン１３の上方域を後方から前方に向けて流れ、その後にエアカーテンに合流する。このように最下位の商品載置棚１２及びデッキパン１３の上方域を後方から前方に向けて流れることで最下位の商品載置棚１２及びデッキパン１３の上方域の内部空気を冷却する。
【００４２】
このようにして最下位の商品載置棚１２及びデッキパン１３の上方域の内部空気を冷却することで、結果的に、図４の二点鎖線で囲んだ領域を局部的に冷却することができる。これにより、最下位の商品載置棚１２及びデッキパン１３に載置された商品を他の商品載置棚１２に載置された商品よりも低い温度に冷却することができる。よって、上記ショーケースにおいては、収納室１１の温度を少なくとも２つの温度帯に分けて商品を冷却することができる。
【００４３】
以上説明したように、本発明の実施の形態であるショーケースによれば、蒸発器５１で冷却された空気を吹出口１７から吹き出させるとともに、背面パネル１４の複数の孔部１５から吹き出させているので、商品載置棚１２の前方側の商品を吹出口１７から吹き出される空気で冷却することができるとともに、商品載置棚１２の後方側の商品を孔部１５から吹き出される空気で冷却することができ、冷却効率の向上を図ることができる。
【００４４】
また、上記ショーケースによれば、蒸発器５１がケース本体１０において収納室１１よりも上方域に配設されているので、従来のように収納室の背面側に蒸発器を配設する場合に比して、収納室１１の前後長さを十分に確保することができ、しかも収納室１１の高さ寸法も小さくする必要がないので、商品収納数の低下を招来する虞れがない。
【００４５】
また、上記ショーケースによれば、各孔部１５から吹き出される空気は、蒸発器５１で冷却された後に、収納室１１の壁面に沿って下方に向けて流れるので、循環ファンＦの送風量を増大させなくとも良好に循環させることができる。
【００４６】
また、上記ショーケースによれば、上方側空気風路２３を分岐させて外方風路２３ａを設けて吸込口１６を通じて吸い込んだ空気の一部を、その温度状態を略維持させたまま前側吹出口１７ａより吹き出させているので、吸込口１６の周囲の冷気を有効に活用して収納室１１に対する熱の侵入を抑制して該収納室１１の内部空気を良好に冷却することができる。
【００４７】
また、上記ショーケースによれば、第１吹出量調整機構３０が後側吹出口１７ｂから吹き出される空気量を調整し、かつ第２吹出量調整機構４０が各孔部１５から吹き出される空気量を調整するので、収納室１１の内部を局部的に冷却することができ、該収納室１１を複数の温度帯に分けて冷却することができる。
【００４８】
以上、本発明の好適な実施の形態について説明したが、本発明はこれに限定されるものではなく、種々の変更を行うことができる。
【００４９】
図５及び図６に示すように、第１背面側空気風路２２は内方風路２３ｂと連通するようにし、この第１背面側空気風路２２及び第２背面側空気風路２４の左右両側域に第３背面側空気風路２５が設けられていてもよい。この第３背面側空気風路２５は、導入口２５１を通じて下方側空気風路２１に連通するとともに、導出口２５２を通じて外方風路２３ａに連通している。
【００５０】
このような構成においては、収納室１１の内部の空気は、吸込口１６を通じて吸い込まれ、下方側空気風路２１を通過し、一部が第１背面側空気風路２２を通過し、残りの一部が導入口２５１を通じて第３背面側空気風路２５を通過する。第３背面側空気風路２５を通過する空気は、外方風路２３ａに進入して前側吹出口１７ａに至り、該前側吹出口１７ａから吹き出される。一方、第１背面側空気風路２２を通過する空気は、内方風路２３ｂに進入する。内方風路２３ｂに進入した空気は、蒸発器５１を通過して冷却される。この蒸発器５１にて冷却された空気は、分岐点Ｐにて２つに分岐され、一方の空気は、後側吹出口１７ｂに至り、該後側吹出口１７ｂより吹き出される。また、分岐点Ｐで分岐された他方の空気は、第２背面側空気風路２４に至り、それぞれの高さレベルの各孔部１５から吹き出される。
【００５１】
そして、吹出口１７（前側吹出口１７ａ及び後側吹出口１７ｂ）から吹き出された空気は、その大部分が吸込口１６に向けて流れることでエアカーテンを形成する。このようにエアカーテンを形成することにより、外部からの熱の侵入を抑制しつつ、収納室１１の内部空気を冷却する。また、各孔部１５から吹き出された空気は、商品載置棚１２及びデッキパン１３の上方域を後方から前方に向けて流れ、その後にエアカーテンに合流する。このように商品載置棚１２及びデッキパン１３の上方域を後方から前方に向けて流れることで収納室１１の後方側の内部空気を冷却する。このようにして収納室１１の内部空気を冷却することで、結果的に各商品載置棚１２に載置された商品を冷却することができる。
【００５２】
このような構成を有するショーケースによれば、第３背面側空気風路２５を第１背面側空気風路２２及び第２背面側空気風路２４の左右両側域に設けられているので、ケース本体１０における収納室１１の背面部位の前後寸法を過大なものとならないよう抑制することができる。
【００５３】
上述した実施の形態では、上方側空気風路２３を分岐させて外方風路２３ａ及び内方風路２３ｂが形成されていたが、本発明においては、図７に示すように、内方風路２３ｂのみが上方側空気風路２３を構成するものであってもよい。
【００５４】
上述した実施の形態では、背面パネル１４に設けられた各孔部１５から収納室１１に空気を吹き出させるようにしていたが、本発明においては、図８に示すように、各高さレベルにおけるそれぞれの孔部１５は、対応する商品載置棚１２の下部に設けた棚ダクト１２ａに連通するようにし、孔部１５から吹き出された空気は、対応する棚ダクト１２ａを通過して該棚ダクト１２ａの前方開口から収納室１１に吹き出させるようにしてもよい。
【００５５】
上述した実施の形態では、第１吹出量調整機構３０及び第２吹出量調整機構４０は、制御手段により制御されるものであったが、本発明においては、手動にて制御されるものであってもよい。また、本発明においては、分岐点Ｐにおいて、後側吹出口１７ｂに向けて流れる空気の風量と、第２背面側空気風路２４に向けて流れる空気の風量とを調整可能な調整部材が設けられていてもよい。
【００５６】
上述した実施の形態では、内方通路を通過させて蒸発器５１で冷却させる空気も外方通路を通過させる空気も共通の吸込口１６から吸い込むようにしていたが、本発明においては、それぞれ別個に吸込口を設けて外方通路に至る風路と、内方通路に至る風路とを完全に分離させるようにしてもよい。
【００５７】
上述した実施の形態では、第１吹出量調整機構３０及び第２吹出量調整機構４０は、それぞれダンパにより構成されるものであったが、本発明は、かかる構成に限定されず、吹出量の調整を行うことができればその構成は特に限定されるものではない。また、本発明においては、第１吹出量調整機構３０が設けられていなくてもよい。
【００５８】
上述した実施の形態では、蒸発器５１が収納室１１よりも上方側に配設されており、この蒸発器５１と冷媒循環手段を構成する圧縮機５２や凝縮器５３も収納室１１よりも上方側に配設されていたが、本発明においては、温度調整手段（蒸発器）や圧縮機等の配設個所は特に限定されない。
【００５９】
本発明においては、図９に示すように、第２背面側空気風路２４の途中に抵抗板（抵抗部材）６０が設けられてもよい。抵抗板６０は、図１０に示すように、第２背面側空気風路２４を閉塞するのに十分な大きさを有した板状部材であり、複数の通過孔６１が形成されている。この抵抗板６０は、第２背面側空気風路２４を上方から下方に向けて通過する空気が各通過孔６１を通過するようにするものであり、空気の通過面積を低減させて第２背面側空気風路２４を疑似的に上下２つに区画するものである。
【００６０】
このような抵抗板６０を設けることで、第２背面側空気風路２４を均圧化させることができ、第２背面側空気風路２４の下部側に空気（蒸発器５１で冷却された空気）が溜まってしまうことを抑制でき、背面パネル１４の各孔部１５から吹き出される空気の風量を均一化することができる。
【００６１】
尚、図９においては、抵抗板６０は、上から３番目の商品載置棚１２よりも僅かに高い位置に配設されていたが、本発明においては、第２背面側空気風路２４の断面積や形状、並びに該第２背面側空気風路２４を通過する空気の風量によって抵抗板６０の配設個所は決められるものであり、１つだけに限られず複数設けられていてもよい。また、抵抗板６０の通過孔６１の開口面積を変化できるようにしてもよい。
【符号の説明】
【００６２】
１０  ケース本体
１０ａ  前面開口
１１  収納室
１２  商品載置棚
１３  デッキパン
１４  背面パネル
１５  孔部
１６  吸込口
１７  吹出口
１７ａ  前側吹出口
１７ｂ  後側吹出口
２０  空気循環手段
２０ａ  空気風路
２１  下方側空気風路
２２  第１背面側空気風路
２３  上方側空気風路
２３ａ  外方風路（補助風路）
２３ｂ  内方風路
２４  第２背面側空気風路
３０  第１吹出量調整機構
４０  第２吹出量調整機構
５１  蒸発器（温度調整手段）
６０  抵抗板（抵抗部材）
６１  通過孔
Ｆ  循環ファン
Ｐ  分岐点
【図１】
2016026526.tif 000003
【図２】
2016026526.tif 000004
【図３】
2016026526.tif 000005
【図４】
2016026526.tif 000006
【図５】
2016026526.tif 000007
【図６】
2016026526.tif 000008
【図７】
2016026526.tif 000009
【図８】
2016026526.tif 000010
【図９】
2016026526.tif 000011
【図１０】
2016026526.tif 000012